(57)【要約】【課題】脱衣室内の美観を損ねることなく防水パンの載置部に壁パネルを設置できるようにして、同壁パネルの施工性を良好に維持しながら浴槽の長手方向に直交する壁面にも壁パネルを設置することを可能にする。【解決手段】防水パン２１の端部に沿って立ち上げられて形成された載置部２１ｄであって、脱衣室側に形成された載置部２１ｄ上に、エプロン３５ｄを備える壁パネル３０を設置する。エプロン３５ｄは、壁パネル３０の外枠を構成する枠体３１の下枠部材３５ｄにおける脱衣室側の側面が下方に延びて形成されており、その下部が脱衣室側に向かって屈曲している。そして、エプロン３５ｄの下端部は、脱衣室の床面Ｆ上にネジ孔３５ｅを介してネジ止め固定される。また、壁パネル３０は、浴槽２２の脱衣室側の側面に対向する位置に収納ボックス４０を備える。【選択図】  図１
2006274738.tif 000002
【特許請求の範囲】
【請求項１】
浴室内に設けられた防水パンの端部を立ち上げて形成した載置部上に載置されて、浴室と脱衣室を仕切るための壁パネル本体部を有する壁パネルにおいて、前記壁パネル本体部の脱衣室側の下端部に、下方に延設させたエプロンを設けたことを特徴とする壁パネル。
【請求項２】
前記エプロンは、前記壁パネル本体部と一体的に形成されている請求項１に記載の壁パネル。
【請求項３】
前記エプロンの下部を屈曲させ、同エプロンの下端部を脱衣室の床面にネジ止めにより固定した請求項１または請求項２に記載の壁パネル。
【請求項４】
前記壁パネル本体部に透明または半透明の部材を含む請求項１ないし請求項３のうちのいずれか１つに記載の壁パネル。
【請求項５】
前記壁パネル本体部の下部に、脱衣室側に開口するとともに浴室側に張り出す収納ボックスを組み付けた請求項１ないし請求項４のうちのいずれか１つに記載の壁パネル。
【発明の詳細な説明】
【技術分野】
【０００１】
本発明は、浴室ユニットに用いられる壁パネルに関する。
【背景技術】
【０００２】
従来から、浴室ユニットにおいては、浴室側の床面と脱衣室側の床面とが同一となるようにまたは所定の基準値以内の段差となるようにバリアフリー化が図られている。例えば、下記特許文献１に記載の浴室ユニットにおいては、浴室ユニットの床面の高さを脱衣室の床面の高さに略一致するように浴室ユニットを配置し、浴室の床面と脱衣室の床面との間に蓋材を掛け渡して構成されている。
【特許文献１】特開２００４−８４３３５号公報
【０００３】
一般に、このような浴室ユニットにおける浴室の床面を構成する防水パンは、その周縁部が床面から立ち上がった載置部を有している。そして、同載置部上に複数の壁パネルを載置固定するとともに、浴室における出入り口部にドアユニットを組み付けて浴室ユニットが構成されている。この場合、ドアユニットが位置する防水パンの載置部は、浴室の床面と脱衣室の床面との段差を解消するためドアユニットの幅に応じて予め切除される。
【０００４】
ところで、近年、入浴者に浴室内の広がり感を与えるため、浴室と脱衣室を隔てる壁パネルに透明な部材（ガラスまたは樹脂材など）を組み込むとともに、同壁パネルと脱衣室との間に建物の仕切り壁を設けないようにして浴室から脱衣室を望めるようにした浴室ユニットがある。例えば、図５にした、浴室ユニット１０においては、浴室と脱衣室を仕切るドアユニット１１および壁パネル１２を構成する面材として、それぞれ透明な樹脂材からなる透明部材１１ａ，１２ａを用いている。これらのドアユニット１１および壁パネル１２は、それぞれ防水パン１３の脱衣室側の端部にそれぞれ設置される。この防水パン１３の端部には、上方に立ち上がった載置部１３ａが形成されているが、壁パネル１２が載置される位置に対応する範囲で載置部１３ａの一部を切除した後、同壁パネル１２を施工するようにしている。
【０００５】
しかしながら、壁パネル１２を設置するために防水パン１３の載置部１３ａの一部を切除する作業は、通常の壁パネルを設置する場合に比べ工数を増やし浴室ユニット１０の施工性が悪い。また、浴槽１４の長手方向に直交する壁面に透明部材１２ａを備える壁パネル１２を設置することは通常極めて困難である。すなわち、防止パン１３における洗い場を構成する洗い場フロアと浴槽１４を設置するための浴槽フロアとを仕切る仕切り部１５の両端は載置部１３ａに繋がっている。そして、壁パネル１２を設置するために同壁パネル１２の幅に対応する範囲で載置部１３ａを切除すると、仕切り部１５の端部も切除することになる。この場合、仕切り部１５の切除部分からの漏水を防止するために新たな止水処理を施す必要があるが、同止水処理作業は極めて煩雑な作業である。特に、洗い場フロアと浴槽フロアとが別体に構成され前記仕切り部１５にて両フロアを接合するタイプの防水パン１３では、同仕切り部１５の端部を切除すると洗い場フロアと浴槽フロアとの接合能力も低下する。これらの理由から、透明部材１２ａを備える壁パネル１２の設置位置が限定されるという問題がある。
【発明の開示】
【０００６】
本発明は、上記問題に対処するためになされたもので、その目的は、脱衣室内の美観を損ねることなく防水パンの載置部に壁パネルを設置できるようにして、同壁パネルの良好な施工性を維持しながら浴槽の長手方向に直交する壁面にも設置することができる壁パネルを提供することにある。
【０００７】
上記目的を達成するため、本発明の特徴は、浴室内に設けられた防水パンの端部を立ち上げて形成した載置部上に載置されて、浴室と脱衣室を仕切るための壁パネル本体部を有する壁パネルにおいて、壁パネル本体部の脱衣室側の下端部に、下方に延設させたエプロンを設けたことにある。この場合、前記エプロンを、壁パネル本体部と一体的に形成するとよい。また、前記壁パネル本体部に透明または半透明の部材を含むように構成するとよい。
【０００８】
このように構成した本発明の特徴によれば、防水パンの載置部上に壁パネルを載置した場合、同載置部と脱衣室との間に壁パネルの下端部から下方に延設されたエプロンが位置するようになる。このため、防水パンの載置部の脱衣室側の側面が脱衣室内に露出せず同脱衣室内の美観を損ねることがない。また、防水パンの載置部を切除することなく壁パネルを設置することができるので、壁パネルの施工性を良好に維持しながら浴槽の長手方向に直交する壁面にも透明または半透明の部材を含む壁パネルを設置することができる。
【０００９】
また、本発明の他の特徴は、前記エプロンの下部を屈曲させ、同エプロンの下端部を脱衣室の床面にネジ止めにより固定したことにある。これによれば、壁パネルの壁パネル本体部から下方に延設されたエプロンの下端部を脱衣室の床面に固定でき、壁パネルおよびエプロンを安定した状態で設けることができる。
【００１０】
また、本発明の他の特徴は、前記壁パネル本体部の下部に、脱衣室側に開口するとともに浴室側に張り出す収納ボックスを組み付けたことにある。これによれば、浴槽の長手方向に直交する壁面に透明または半透明の部材を含む壁パネルを設置した場合、浴槽の外側の側面と壁パネルとの間の空間に収納ボックスを設けることができる。これにより、脱衣室側から浴槽の脱衣室側の側面が見えないように同側面を目隠しながら、壁パネルと同側面との間に生じる空間、すなわちデッドスペースを有効に活用することができる。
【発明を実施するための最良の形態】
【００１１】
以下、本発明の一実施形態について図面を参照しながら説明する。図１は、本発明に係る壁パネルを備えた浴室ユニット２０の一部を示している。浴室ユニット２０は、防水パン２１を備えている。防水パン２１は、樹脂材料を一体成形して構成されており、洗い場を構成する洗い場フロア２１ａと、浴槽２２を設置するための浴槽フロア２１ｂとを備えている。この防水パン２１は、建物の脱衣室に隣接して設置される。本実施形態においては、浴槽２２の長手方向に脱衣室が位置するように防水パン２１が設置されている。この場合、防水パン２１は、脱衣室の床面Ｆの高さと防水パン２１の洗い場フロア２１ａの床面の高さが略一致するように建物の床面部（図示せず）に設置される。
【００１２】
防水パン２１の洗い場フロア２１ａと浴槽フロア２１ｂとの間には、両フロアを仕切るための仕切り部２１ｃが両フロアの長手方向に沿って凸状に形成されている。仕切り部２１ｃの両端は、載置部２１ｄにそれぞれ繋がっている。載置部２１ｄは、防水パン２１の端部に沿って設けられており、洗い場フロア２１ａおよび浴槽フロア２１ｂの床面より一段上方に立ち上がって形成されている。この載置部２１ｄの端部には、載置部２１ｄの上面よりさらに一段立ち上がった淵部２１ｅが形成されている。なお、洗い場フロア２１ａにおける脱衣室側の端部には、浴室ユニット２０への出入り口となるドアユニット２３が設置されるため、ドアユニット２３の幅に対応する範囲で載置部２１ｄは切除されている。
【００１３】
載置部２１ｄには、本発明に係る壁パネル３０を含む複数（例えば７つ）の壁パネル（図では１つの壁パネルのみ示している）が起立状態で設置され、これらの壁パネルおよび前記ドアユニット２３が防水パン２１を四方から囲んでいる。この場合、壁パネル３０を含む各壁パネルおよびドアユニット２３は、互いに隣り合う壁パネルまたはドアユニット２３に連結された状態で防水パン２１上に設置される。これらのうち壁パネル３０は、防水パン２１における脱衣室側の載置部２１ｄ上にドアユニット２３に隣接して設置され、同ドアユニット２３と連結される。また、壁パネル３０は、ドアユニット２３とは反対側に直交して設置される他の壁パネル２４とコーナジョイント２５を介して連結される。これらの壁パネル３０を含む各壁パネルおよびドアユニット２３の上端部には、天井パネル（図示せず）が掛け渡された状態で固定され、箱型の浴室ユニット２０を形成している。この場合、脱衣室と浴室ユニット２０の浴室とは、壁パネル３０およびドアユニット２３によって仕切られている。
【００１４】
壁パネル３０について図２および図３を用いて詳しく説明する。壁パネル３０は、壁パネル３０の外枠を構成する枠体３１を備えている。枠体３１は、アルミニウム材からなり、それぞれ角筒状に形成された右枠部材３２、左枠部材３３、上枠部材３４、下枠部材３５および中桟３６から構成されている。これらのうち４つの枠部材３２，３３，３４，３５は、四角枠状に配置されてネジ止め（図示せず）によって互いに連結されている。また、枠体３１の内側における中央部よりやや下方の位置、より具体的には、防水パン２１上に壁パネル３０および浴槽２２を設置した場合に、浴槽２２の脱衣室側の端部に対向する位置には、上枠部材３４および下枠部材３５に対して平行であって右枠部材３２および左枠部材３３によって両端をそれぞれネジ止め（図示せず）によって支持された中桟３６が設けられている。
【００１５】
枠体３１の右枠部材３２の外側面には、隣接して配置されるドアユニット２３と壁パネル３０とを連結するために、複数のネジ孔３２ａが上下方向に沿って２列設けられている。一方、枠体３１の左枠部材３３における脱衣室側の側面には、直交して配置される他の壁パネル２４と壁パネル３０とをコーナジョイント２５を介して連結するために、複数のネジ孔３３ａが上下方向に沿って設けられている。また、左枠部材３３の内側面には、脱衣室側に突出した突出片３３ｂが形成されており、同突出片３３ｂに壁パネル３０を建物の壁面に固定するために、複数のネジ孔３３ｃが上下方向に沿って設けられている。
【００１６】
枠体３１の下枠部材３５の下面は、防水パン２１の載置部２１ｄの形状に対応した段付形状に形成されている。すなわち、下枠部材３５の下面の浴室側の端部には、載置部２１ｄの上面の幅に対応した幅で下方に突出した突出部３５ａが形成されている。この突出部３５ａの脱衣室側の端部には、一段下がった段部３５ｂが形成されている。この段部３５ｂ上には、ゴム材からなるシール材３５ｃが固着されている。シール材３５ｃは、円柱状に形成され、その直径が段部３５ｂの段差より少し大きく形成されている。このシール材３５ｃは、壁パネル３０が載置部２１ｄ上に載置された際、壁パネル３０の自重によって変形しながら段部３５ｂおよび載置部２１ｄの各面に密着して壁パネル３０と載置部２１ｄとの継ぎ目部分からの漏水を防止する。
【００１７】
また、下枠部材３５の脱衣室側の下端部には、下方に延設させたエプロン３５ｄが形成されている。エプロン３５ｄは、下枠３５の脱衣室側の側面全体が下方に延びて形成されており、その下部が脱衣室側に向かって屈曲している。また、エプロン３５ｄの下端部には、同エプロン３５ｄを脱衣室の床面Ｆ上に固定するために、複数のネジ孔３５ｅが下枠部材３５の幅方向に沿って設けられている。すなわち、エプロン３５ｄは、下枠部材３５と一体的に形成されている。このエプロン３５ｄは、壁パネル３０が防水パン２１の載置部２１ｄに設置された際、脱衣室から同防水パン２１の載置部２１ｄの脱衣室側の側面が見えないように目隠しするための部材である。
【００１８】
枠体３１における右枠部材３２、左枠部材３３、上枠部材３４および中桟３６によって囲まれた領域に接する各内側面には、後述するパネル部３８を保持するための溝状の保持部３７が同各内側面に沿って連続した状態で設けられている。また、枠体３１における右枠部材３２、左枠部材３３、下枠部材３５および中桟３６によって囲まれた領域に接する各内側面には、後述する収納ボックス４０を保持するための溝状の保持部３９が同各内側面に沿って連続した状態で設けられている。
【００１９】
壁パネル３０は、壁パネル３０の面材を構成するパネル部３８を備えている。パネル部３８は、透明な樹脂材からなり四角形状の平板状に形成されている。このパネル部３８は、その周縁部が枠体３１の右枠部材３２、左枠部材３３、上枠部材３４および中桟３６に形成された保持部３７にそれぞれ嵌め込まれ、枠体３１に保持されている。すなわち、パネル部３８は、防水パン２１上に壁パネル３０および浴槽２２を設置した場合に、浴槽２２の上方に位置するように設けられる。
【００２０】
また、壁パネル３０は、物入れとしての収納ボックス４０を備えている。収納ボックス４０は、樹脂材からなり１つの面が開口する箱型に形成されている。この収納ボックス４０は、脱衣室側に開口するとともに、浴室側に張り出した状態で枠体３１に設けられている。具体的には、収納ボックス４０の開口する側の周縁部は、それぞれ外側に向けて屈曲したフランジ部４０ａを形成しており、同フランジ部４０ａが枠体３１の右枠部材３２、左枠部材３３、下枠部材３５および中桟３６に設けられた保持部３９にそれぞれ嵌め込まれ、枠体３１に保持されている。すなわち、収納ボックス４０は、防水パン２１上に壁パネル３０および浴槽２２を設置した場合に、浴槽２２の脱衣室側の側面に対向する位置に設けられる。これら枠体３１、パネル部３８および収納ボックス３９が一体的に組み付けられて、本発明に係る壁パネル本体部を構成する。
【００２１】
このように構成された壁パネル３０を浴室ユニット２０および建物に設置する際の施工作業について説明する。作業者は、壁パネル３０を浴室ユニット２０に取り付ける作業の前作業として、防水パン２１を建物の脱衣室に隣接して設置する。具体的には、浴槽２２の長手方向に脱衣室が位置するように防水パン２１を設置する。この場合、脱衣室の床面Ｆの高さと防水パン２１の洗い場フロア２１ａの床面の高さが略一致するように防水パン２１を建物の床面部（図示せず）に設置する。
【００２２】
次に、作業者は、壁パネル３０、他の壁パネル２４および１つのドアユニット２３を用意する。まず、作業者は、防水パン２１における脱衣室側の載置部２１ｄ上に壁パネル３０を載置する。この場合、壁パネル３０の下枠部材３５に設けられたシール材３５ｃは、壁パネル３０の自重により変形しながら段部３５ｂおよび載置部２１ｄの各面に密着する。次に、作業者は、壁パネル３０に直交するように他の壁パネル２４を載置部２１ｄ上に載置する。そして、壁パネル３０と壁パネル２４とをコーナジョイント２５を介してネジ止めにより連結する。この場合、壁パネル３０の左枠部材３３に設けられたネジ孔３３ａが用いられる。
【００２３】
次に、作業者は、壁パネル３０の左側に隣接してドアユニット２３を防水パン２１の洗い場フロア２１ａ上に載置する。そして、壁パネル３０とドアユニット２３とをネジ止めにより連結する。この場合、壁パネル３０の右枠部材３２に設けられたネジ孔３２ａが用いられる。次に、作業者は、他の複数の壁パネル（図示せず）を用意し、同複数の壁パネルをそれぞれ防水パン２１の載置部２１ｄ上に載置して他の壁パネル相互間および他の壁パネルとドアユニット２３とを相互に連結して固定する。また、壁パネル３０を含む各壁パネルおよびドアユニット２３の上端部に、天井パネル（図示せず）を設置して浴室ユニット２０の外枠を組み付ける。
【００２４】
次に、作業者は、壁パネル３０を脱衣室に固定する。具体的には、壁パネル３０の左枠部材３３に設けられたネジ孔３３ｃおよび下枠部材３５に設けられたネジ孔３５ｅを用いて、脱衣室における対応する各壁面にネジ止めにより固定する。これにより、壁パネル３０は、脱衣室側にも固定され脱衣室と浴室とを仕切る間仕切り壁となる。この場合、脱衣室および浴室からは、壁パネル３０のパネル部３８を通して相互に互いの室内を望むことができる。また、防水パン２１の載置部２１ｄの脱衣室側の側面は、壁パネル３０の下枠部材３５に設けられたエプロン３５ｄによって脱衣室側から見えない状態となる。さらに、浴槽２２の脱衣室側の側面は、壁パネル３０の下部に設けられた収納ボックス４０によって脱衣室側から見えない状態となる。
【００２５】
次に、作業者は、浴槽２２を防水パン２１の浴槽フロア２１ｂ上に設置する。この場合、浴槽２２は、壁パネル３０の収納ボックス４０の外側面に浴槽２２の脱衣室側の側面を対向させた状態で設置される。すなわち、浴槽２２の脱衣室側の側面と壁パネル３０の浴室側の側面との間に生じる空間（デッドスペース）に収納ボックス４０が位置するように浴槽２２を浴槽フロア２１ｂ上に設置する。このほかの浴槽２２の設置作業については、本発明に関係しないのでその説明を省略する。
【００２６】
次に、作業者は、配管、継ぎ目部分の止水処理（コーキング処理）など他の必要な作業を施工して浴室ユニットを完成させる。これらの作業は、本発明に直接関係しないため、その説明は省略する。なお、この浴室ユニット２０の施工作業の順序は、一例を示すに過ぎず、各作業の順序は適宜変更して行われてもよい。
【００２７】
このように本実施形態に係る壁パネル３０においては、防水パン２１の載置部２１ｄ上に壁パネル３０を載置した場合、同載置部２１ｄと脱衣室との間に壁パネル３０の下端部に設けられたエプロン３５ｄが位置するようになる。このため、防水パン３０の載置部２１ｄの脱衣室側の側面が、脱衣室内に露出せず脱衣室内の美観を損ねることがない。また、防水パン３０の載置部２１ｄを切除することなく壁パネル３０を設置することができるので、壁パネル３０の施工性を良好に維持しながら浴槽２２の長手方向に直交する壁面にも透明のパネル部３８を含む壁パネル３０を設置することができる。また、壁パネル３０は、脱衣室側に開口するとともに、浴槽２２側に張り出した収納ボックス４０を備えている。これにより、脱衣室側から浴槽２２の脱衣室側の側面が見えないように同側面を目隠しながら、壁パネル３０と同側面との間に生じる空間、すなわちデッドスペースを有効に活用することができる。
【００２８】
さらに、本発明の実施にあたっては、上記実施形態に限定されるものではなく、本発明の目的を逸脱しない限りにおいて種々の変更が可能である。
【００２９】
上記実施形態においては、壁パネル３０を浴槽２２の長手方向に直交する壁面に用いたが、これに限定されるものではない。例えば、図４に示すように、浴槽２２の長手方向に直交する方向に脱衣室が配置される場合には、浴槽２２の長手方向に平行な壁面に壁パネル３０を設置するようにしてもよい。この場合、浴槽２２の脱衣室側の側面を目隠しする必要がないため、壁パネル３０の中桟３６および収納ボックス４０を設けないように構成した壁パネル３０’を用いるとよい。これによっても、防水パン３０の載置部２１ｄを切除することなく壁パネル３０’を設置することができるので、壁パネル３０の施工性を維持できるとともに、脱衣室内の美観を損ねることがない。
【００３０】
また、上記実施形態においては、エプロン３５ｄを壁パネル３０を構成する下枠部材３５に一体的に形成するようにしたが、これに限定されるものではない。例えば、エプロン３５ｄを壁パネル３０とは別体に構成し、壁パネル３０の脱衣室側の下端部に嵌め込み、ネジ止めなどにより取り付けるように構成してもよい。これによっても、上記実施例と同様の効果が期待できる。
【００３１】
また、上記実施形態においては、エプロン３５ｄの下部を屈曲させるとともに、下端部をネジ孔３５ｅを用いて脱衣室の床面Ｆに固定するようにしたが、これに限定されるものではない。エプロン３５ｄは、防水パン３０の載置部２１ｄの脱衣室側の側面を目隠しして、脱衣室から見えないようにするための部材であるから、その目的を達する形状であればよく、例えば、屈曲させず平板状に形成したものであってもよい。また、エプロンの下端部を脱衣室の床面Ｆに固定しなくてもよい。これによっても、上記実施例と同様の効果が期待できる。
【００３２】
また、上記実施形態においては、壁パネル３０のパネル部３８の部材として、透明な樹脂材を用いたが、透明または半透明の部材であれば、これに限定されるものではない。例えば、透明または半透明のガラス材を用いるようにしてもよい。これによっても、上記実施例と同様の効果が期待できる。
【００３３】
また、上記実施形態においては、収納ボックス４０を、１つの面が開口した箱型の形状に形成したが、これに限定されるものではない。壁パネル３０と浴槽２２との間のデッドスペースを利用できる形状であればよく、例えば、１つの面が開口した半球状に形成された収納ボックスでもよい。また、収納ボックス４０を構成する部材も樹脂以外の材料を用いて構成するようにしてもよい。これによっても、上記実施例と同様の効果が期待できる。
【００３４】
また、上記実施形態においては、壁パネル３０の下部に収納ボックス４０を備えるように構成したが、これに限定されるものではない。例えば、壁パネル３０における収納ボックス４０が設けられている位置に平板状の目隠し部材を設けるように構成してもよい。これによっても、脱衣室側から浴槽２２の脱衣室側の側面が見えないように目隠しすることができる。
【図面の簡単な説明】
【００３５】
【図１】本発明の一実施形態に係る壁パネルを備えた浴室ユニットを示す斜視図である。
【図２】図１の２−２線に沿って見た壁パネルの組み付け状態を示す縦断面図である。
【図３】図１の３−３線に沿って見た壁パネルの組み付け状態を示す横断面図である。
【図４】本発明の他の実施形態に係る壁パネルを備えた浴室ユニットを示す斜視図である。
【図５】従来例に係る壁パネルを備えた浴室ユニットを示す斜視図である。
【符号の説明】
【００３６】
Ｆ…脱衣室の床面、２０…浴室ユニット、２１…床フロア、２１ａ・・・洗い場フロア、２１ｂ…浴槽フロア、２１ｃ…仕切り部、２１ｄ…載置部、２１ｅ…淵部、２２…浴槽、２３…ドアユニット、３０…壁パネル、３１…枠体、３２…右枠部材、３３…左枠部材、３４…上枠部材、３５…下枠部材、３５ｄ…エプロン、３６…中桟、３８・・・パネル部、４０…収納ボックス。
【図１】
2006274738.tif 000003
【図２】
2006274738.tif 000004
【図３】
2006274738.tif 000005
【図４】
2006274738.tif 000006
【図５】
2006274738.tif 000007